(57)【要約】【課題】座席同士の間に配置された蓄電パックの温度調節性能に優れた自動車を提供する。【解決手段】自動車は、車体の幅方向に並ぶ運転席１１および助手席と、運転席１１と助手席との間に配置されているコンソールボックス２１と、運転席１１と助手席との間に配置されている電池パック１とを備える。運転席１１および助手席の後側に冷気を送るための冷風ダクト５１を備える。電池パック１は、コンソールボックス２１の内部に配置されている。冷風ダクト５１は、開口部５１ａを有し、コンソールボックス２１の内部に冷気の一部を放出するように形成されている。【選択図】図３
2008254607.tif 000002
【特許請求の範囲】
【請求項１】
車体の幅方向に並ぶ第１座席および第２座席と、
前記第１座席と前記第２座席との間に配置されているコンソールボックスと、
前記第１座席と前記第２座席との間に配置されている蓄電パックと、
前記第１座席および前記第２座席の後側に冷気を送るための冷風ダクトと
を備え、
前記蓄電パックは、電気を蓄えるための蓄電機器を含み、
前記蓄電パックは、前記コンソールボックスの内部または前記コンソールボックスの下側に配置され、
前記冷風ダクトは、前記コンソールボックスの内部に前記冷気の一部を放出するように形成されている、自動車。
【請求項２】
車体の幅方向に並ぶ第１座席および第２座席と、
前記第１座席と前記第２座席との間に配置されているコンソールボックスと、
前記第１座席と前記第２座席との間に配置されている蓄電パックと、
前記コンソールボックスの内部に配置されている冷蔵庫と、
前記冷蔵庫に冷気を送るための冷風ダクトと
を備え、
前記蓄電パックは、電気を蓄えるための蓄電機器を含み、
前記蓄電パックは、前記コンソールボックスの内部または前記コンソールボックスの下側に配置され、
前記冷風ダクトおよび前記冷蔵庫のうち少なくとも一方は、前記冷気の一部が前記コンソールボックスの内部に放出されるように形成されている、自動車。
【請求項３】
前記冷蔵庫は、前記冷蔵庫の内部の冷気が前記コンソールボックスの内部に放出されるように形成されている挿通路を含む、請求項２に記載の自動車。
【請求項４】
前記冷風ダクトは、前記コンソールボックスの内部に冷気を放出するための開口部を有する、請求項１から３のいずれかに記載の自動車。
【請求項５】
前記冷風ダクトは、支流ダクトおよび前記支流ダクトから分岐する分岐ダクトを有し、
前記分岐ダクトは、前記コンソールボックスの内部に冷気を放出するように形成されている、請求項１から３のいずれかに記載の自動車。
【請求項６】
前記蓄電パックは、前記コンソールボックスの内部に配置され、
前記蓄電パックは、前記蓄電機器を内部に配置するためのケースを含み、
前記ケースは、前記コンソールボックスの内部の空気を取入れるための吸気口を有する、請求項１から５のいずれかに記載の自動車。
【請求項７】
前記蓄電パックは、前記蓄電機器を内部に配置するためのケースを含み、
前記冷風ダクトは、支流ダクトおよび前記支流ダクトから分岐する分岐ダクトを有し、
前記分岐ダクトは、前記ケースに接続されている、請求項１から５のいずれかに記載の自動車。
【請求項８】
車体の幅方向に並ぶ第１座席および第２座席と、
前記第１座席と前記第２座席との間に配置されているコンソールボックスと、
前記第１座席と前記第２座席との間に配置されている蓄電パックと、
前記第１座席および前記第２座席の後側に温風を送るための温風ダクトと
を備え、
前記蓄電パックは、電気を蓄えるための蓄電機器を含み、
前記蓄電パックは、前記コンソールボックスの内部または前記コンソールボックスの下側に配置され、
前記温風ダクトは、前記コンソールボックスの内部に前記温風の一部を放出するように形成されている、自動車。
【請求項９】
前記温風ダクトは、支流ダクトおよび前記支流ダクトから分岐する分岐ダクトを有し、
前記分岐ダクトは、前記コンソールボックスの内部に温風を放出するように形成されている、請求項８に記載の自動車。
【発明の詳細な説明】
【技術分野】
【０００１】
本発明は、自動車に関する。特に、蓄電機器を備える自動車に関する。
【背景技術】
【０００２】
近年、電動機を駆動源として用いる電気自動車や、駆動源としての電動機とその他の駆動源（たとえば、内燃機関等）とを組み合わせた、いわゆるハイブリッド電気自動車が実用化されてきている。このような自動車においては、電動機にエネルギーである電気を供給するための蓄電機器が搭載される。
【０００３】
蓄電機器としては、たとえば、繰り返し充放電が可能な二次電池やキャパシタなどが配置される。二次電池としては、ニッケル−カドミウム電池、ニッケル−水素電池、またはリチウムイオン電池などが用いられる。蓄電機器は、ケースに収容されて蓄電パックとして自動車に搭載される。
【０００４】
二次電池などの蓄電機器は、各電池セルの内部での電気化学反応によって発熱して、その温度が上昇する。蓄電機器は、高温になると発電効率が低下するため、蓄電機器を収容するケースに外部から冷却風を導入して蓄電機器を冷却することが行なわれる（たとえば特開２０００−３０７６６号公報、または特開２００６−１６８６８１号公報参照）。
【０００５】
近年においては、蓄電パックの搭載に関して、蓄電パックを人が乗る車室の外部に配置するのではなく、車室の内部に配置することが検討されている。たとえば、蓄電パックを座席の下側に配置したり、蓄電パックを運転席と助手席との間に配置したりすることが検討されている（たとえば、特開２００５−３０６２３９号公報、特開２００６−２１６５０４号公報、特開２００４−１４９０３３号公報参照）。
【特許文献１】特開２０００−３０７６６号公報
【特許文献２】特開２００６−１６８６８１号公報
【特許文献３】特開２００５−３０６２３９号公報
【特許文献４】特開２００６−２１６５０４号公報
【特許文献５】特開２００４−１４９０３３号公報
【発明の開示】
【発明が解決しようとする課題】
【０００６】
運転席と助手席の間に蓄電パックを配置する場合には、たとえば、運転席と助手席の間に配置されているコンソールボックスの内部に配置される。コンソールボックスは、箱形状に形成され、蓄電パックは、この箱形状の内部に配置される。
【０００７】
蓄電パックが駆動して温度が上昇すると、蓄電パックに接続されている冷却装置が駆動して蓄電機器が冷却される。一方で、蓄電パックの熱がコンソールボックスの内部の空気に伝達される。
【０００８】
コンソールボックスは、箱形状であるため、内部に空気の流れがほとんど生じずに空気が滞留する。このため、蓄電パックの熱によりコンソールボックスの内部の空気は温度が上昇する。コンソールボックスの内部の温度が上昇すると、蓄電パックが温度の高い空気の環境下に配置されることになり、蓄電パックの冷却効率が悪くなっていた。または、蓄電パックに冷却空気を供給するための吸気ダクトが、温度の高い環境下に配置されて、蓄電パックの冷却効率が低下していた。
【０００９】
本発明は、座席同士の間に配置された蓄電パックの温度調節性能に優れた自動車を提供することを目的とする。
【課題を解決するための手段】
【００１０】
本発明における一の局面における自動車は、車体の幅方向に並ぶ第１座席および第２座席と、上記第１座席と上記第２座席との間に配置されているコンソールボックスとを備える。上記第１座席と上記第２座席との間に配置されている蓄電パックを備える。上記第１座席および上記第２座席の後側に冷気を送るための冷風ダクトを備える。上記蓄電パックは、電気を蓄えるための蓄電機器を含む。上記蓄電パックは、上記コンソールボックスの内部または上記コンソールボックスの下側に配置されている。上記冷風ダクトは、上記コンソールボックスの内部に上記冷気の一部を放出するように形成されている。
【００１１】
本発明における他の局面における自動車は、車体の幅方向に並ぶ第１座席および第２座席と、上記第１座席と上記第２座席との間に配置されているコンソールボックスとを備える。上記第１座席と上記第２座席との間に配置されている蓄電パックを備える。上記コンソールボックスの内部に配置されている冷蔵庫を備える。上記冷蔵庫に冷気を送るための冷風ダクトを備える。上記蓄電パックは、電気を蓄えるための蓄電機器を含む。上記蓄電パックは、上記コンソールボックスの内部または上記コンソールボックスの下側に配置されている。上記冷風ダクトおよび上記冷蔵庫のうち少なくとも一方は、上記冷気の一部が上記コンソールボックスの内部に放出されるように形成されている。
【００１２】
上記発明において好ましくは、上記冷蔵庫は、上記冷蔵庫の内部の冷気が上記コンソールボックスの内部に放出されるように形成されている挿通路を含む。
【００１３】
上記発明において好ましくは、上記冷風ダクトは、上記コンソールボックスの内部に冷気を放出するための開口部を有する。
【００１４】
上記発明において好ましくは、上記冷風ダクトは、支流ダクトおよび上記支流ダクトから分岐する分岐ダクトを有する。上記分岐ダクトは、上記コンソールボックスの内部に冷気を放出するように形成されている。
【００１５】
上記発明において好ましくは、上記蓄電パックは、上記コンソールボックスの内部に配置されている。上記蓄電パックは、上記蓄電機器を内部に配置するためのケースを含む。上記ケースは、上記コンソールボックスの内部の空気を取入れるための吸気口を有する。
【００１６】
上記発明において好ましくは、上記蓄電パックは、上記蓄電機器を内部に配置するためのケースを含む。上記冷風ダクトは、支流ダクトおよび上記支流ダクトから分岐する分岐ダクトを有する。上記分岐ダクトは、上記ケースに接続されている。
【００１７】
本発明のさらに他の局面における自動車は、車体の幅方向に並ぶ第１座席および第２座席と、上記第１座席と上記第２座席との間に配置されているコンソールボックスとを備える。上記第１座席と上記第２座席との間に配置されている蓄電パックと、上記第１座席および上記第２座席の後側に温風を送るための温風ダクトとを備える。上記蓄電パックは、電気を蓄えるための蓄電機器を含む。上記蓄電パックは、上記コンソールボックスの内部または上記コンソールボックスの下側に配置されている。上記温風ダクトは、上記コンソールボックスの内部に上記温風の一部を放出するように形成されている。
【００１８】
上記発明において好ましくは、上記温風ダクトは、支流ダクトおよび上記支流ダクトから分岐する分岐ダクトを有する。上記分岐ダクトは、上記コンソールボックスの内部に温風を放出するように形成されている。
【発明の効果】
【００１９】
本発明によれば、座席同士の間に配置された蓄電パックの温度調節機能に優れた自動車を提供することができる。
【発明を実施するための最良の形態】
【００２０】
（実施の形態１）
図１から図５を参照して、実施の形態１における自動車について説明する。本実施の形態における自動車は、蓄電パックを備えるハイブリッド自動車である。
【００２１】
二次電池やキャパシタ等の電気を蓄える蓄電機器は、ケースに収容されて自動車に搭載される。本発明においては、ケースと、ケースに収容された蓄電機器とを含む機器を蓄電パックという。蓄電パックには、その他の内部構成部品が含まれていても構わない。その他の内部構成部品としては、たとえば、冷却ダクトや冷却ファンなどの蓄電機器を冷却するための冷却装置やインバータなどの電気を変換する電気機器などが含まれる。
【００２２】
図１に、本実施の形態における車室の概略斜視図を示す。図１は、車室のうち前側の端部の斜視図である。本実施の形態における自動車は、第１座席としての運転席１１および第２座席としての助手席１２を備える。
【００２３】
本実施の形態における自動車は、複数列の座席を備える。運転席１１および助手席１２は、最も前側の列に配置されている。運転席１１および助手席１２は、矢印１０２に示す車体の幅方向に並んで配置されている。運転席１１の前側には、ハンドル３２が配置されている。運転席１１および助手席１２の前側には、ダッシュボード３１が形成されている。
【００２４】
運転席１１と助手席１２との間には、コンソールボックス２１が配置されている。コンソールボックス２１は、たとえば、車室１９内のインテリア性を向上させたり、飲料容器を載置するためのカップホルダを設けたり、小物を入れておいたりするための箱部材である。本実施の形態におけるコンソールボックス２１は、略直方体形状を有する。コンソールボックス２１は、車体の前後方向に延びるように形成されている。
【００２５】
本実施の形態における自動車は、蓄電パックとしての電池パック１を備える。電池パック１は、長手方向を有し、長手方向が車体の前後方向とほぼ平行になるように配置されている。電池パック１は、蓄電機器としての蓄電池２を含む。本実施の形態における蓄電池２は、二次電池である。電池パック１は、ケース４を備える。蓄電池１は、ケース４の内部に配置されている。
【００２６】
本実施の形態における電池パック１は、電気機器としてのインバータ３を含む。インバータ３は、蓄電池２からの直流の電気をモータ駆動用の交流の電気に変換するとともに、回生ブレーキにより発電された交流の電気を、蓄電池２に充電するための直流の電気に変換する。本実施の形態におけるインバータ３は、ケース４の内部に配置されている。
【００２７】
本実施の形態における自動車は、車室１９の床面を構成する床部材としてのフロア部材１５を備える。フロア部材１５は、板状に形成されている。運転席１１および助手席１２は、フロア部材１５に固定されている。運転席１１および助手席１２は、それぞれが脚部１３を有する。脚部１３は、フロア部材１５に固定されている。
【００２８】
本実施の形態における自動車は、車室１９の空気の温度や湿度の調節を行なうための空調装置を備える。本実施の形態における空調装置は、冷房機能を有する。空調装置は、空調ユニット４１を含む。本実施の形態における空調ユニット４１は、ダッシュボード３１の下側に配置されている。
【００２９】
空調ユニット４１の内部には、後述するように冷房機器のうち蒸発器が配置されている。空調ユニット４１は、冷却された空気である冷気を吹出すことができるように形成されている。空調ユニット４１は、冷気や温風を送るための複数のダクトが接続され、それぞれのダクトが選択可能に形成されている。
【００３０】
また、空調ユニット４１の内部には、暖房機器のうちヒータコアが配置されている。ヒータコアには、たとえば、エンジンの冷却により温度が上昇した温水が挿通される。ヒータコアは、温水が挿通することにより温度が上昇する。ヒータコアに空気が通されることにより温風が吹出される。
【００３１】
本実施の形態における自動車は、運転席および助手席の後側に温風を送るように形成されている温風ダクトを備える（図示せず）。この温風ダクトは、後部座席に向かうように形成されている。温風は温風ダクトを通じて吹出される。温風ダクトは、運転席と助手席の下側に配置されている。
【００３２】
本実施の形態における自動車は、冷気を送るための冷風ダクト５１を備える。冷風ダクト５１は、空調ユニット４１に接続されている。冷風ダクト５１は、運転席１１および助手席１２の後側に冷気を送るように形成されている。本実施の形態における冷風ダクト５１は、いわゆるリアフェースダクトである。
【００３３】
冷風ダクト５１は、空調ユニット４１からコンソールボックス２１の内部を通るように形成されている。冷風ダクト５１は、コンソールボックス２１を貫通するように形成されている。コンソールボックス２１の背面には、冷気を放出するための放出口６１が形成されている。冷風ダクト５１は、放出口６１に接続されている。
【００３４】
本実施の形態における電池パック１には、吸気ダクト７１が接続されている。コンソールボックス２１の背面には、車室の空気を取り込むための吸気口８１が形成されている。吸気ダクト７１は、吸気口８１に接続されている。
【００３５】
本実施の形態における電池パック１は、電池パック１の内部に冷却空気を送るための冷却ファン７５に接続されている。本実施の形態における冷却ファン７５は、冷却空気の流路において、蓄電池２よりも下流側に配置されている。本実施の形態における冷却ファン７５は、助手席１２の下側に配置されている。
【００３６】
電池パック１は、排気ダクト７２に接続されている。排気ダクト７２は、冷却ファン７５に接続されている。冷却ファン７５は、排気ダクト７３に接続されている。本実施の形態における排気ダクト７３は、車外に冷却空気を放出することができるように形成されている。電池パック１は、冷却ファン７５が駆動することにより、吸気ダクト７１を通して車室の空気を取り込むことができるように形成されている。
【００３７】
図２に、本実施の形態における自動車の第１の概略断面図を示す。図２は、運転席および助手席の前の部分で車体の幅方向に切断したときの概略断面図である。図１および図２を参照して、本実施の形態における電池パック１は、運転席１１と助手席１２との間に配置されている。
【００３８】
本実施の形態における電池パック１は、コンソールボックス２１の内部に配置されている。電池パック１は、フロア部材１５の上側に配置されている。電池パック１は、フロア部材１５に固定されている。本実施の形態における冷風ダクト５１は、コンソールボックス２１の内部を通るように形成されている。本実施の形態における冷風ダクト５１は、電池パック１の上側に配置されている。
【００３９】
図３に、本実施の形態における自動車の第２の概略断面図を示す。図３は、車体の前後方向に切断したときの概略断面図である。本実施の形態における自動車は、後部座席１４を備える。後部座席１４は、運転席１１および助手席１２の後側に配置されている。
【００４０】
本実施の形態における冷風ダクト５１は、コンソールボックス２１の内部において、底部に配置されている。放出口６１は、コンソールボックス２１の背面の上部に形成されている。冷風ダクト５１は、斜め上側に向かって冷気を放出するように放出口６１に接続されている。冷風ダクト５１は、放出口６１の近傍において、後部座席１４に座る人の高い位置に向かって冷気を吹出すように傾斜している。
【００４１】
本実施の形態における自動車の空調装置は、蒸発器４２を備える。蒸発器４２は、空調ユニット４１の内部に配置されている。本実施の形態における空調装置は、冷媒を加圧する圧縮機と、冷媒を冷却するためのコンデンサとを備える。空調装置は、圧縮機で圧縮された冷媒が、コンデンサで冷却されたのちに蒸発器４２で蒸発するように形成されている。蒸発器４２は、温度が低下する。
【００４２】
本実施の形態における空調装置は、送気ファン４３を備える。送気ファン４３は、蒸発器４２またはヒータコアに、空気を送風することができるように形成されている。本実施の形態における空調装置は、空気を導入するための空気導入ダクト４４を備える。
【００４３】
空気導入ダクト４４の流路の途中には、切替え弁４５が配置されている。切替え弁４５が一の状態に配置されているときには、矢印１０６に示すように、車室内の空気が取込まれる。切替え弁４５が他の状態に配置されているときには、矢印１０５に示すように、車外の空気が取込まれる。このように、切替え弁４５は、空気の取り込み元を選択することができるように形成されている。
【００４４】
本実施の形態における自動車は、エンジン９１を備える。エンジン９１は、車体の前側端部に形成されているエンジンルームの内部に配置されている。本実施の形態における自動車は、排気管９２を備える。排気管９２は、エンジン９１に接続されている。排気管９２は、フロア部材１５の下側に配置されている。排気管９２は、車体の前側から後側に向かって延びるように形成されている。本実施の形態における排気管９２は、車体の幅方向のほぼ中央を通るように形成されている。すなわち、排気管９２は、コンソールボックス２１の真下に配置されている。
【００４５】
図４に、本実施の形態における冷風ダクトの開口部の部分の拡大概略斜視図を示す。図１、図３および図４を参照して、本実施の形態における冷風ダクト５１は、コンソールボックス２１の内部に、冷気の一部を放出するための開口部５１ａを有する。開口部５１ａは、冷風ダクト５１の壁部を貫通する穴である。開口部５１ａは、冷風ダクト５１の上面に形成されている。本実施の形態においては、複数の開口部５１ａが形成されている。
【００４６】
自動車の空調装置が駆動することにより、蒸発器４２の温度が低温になる。図３を参照して、送気ファン４３が駆動することにより、車外の空気または車室内の空気が取込まれ、蒸発器４２に送られる。蒸発器４２で熱交換をすることにより空気が冷却される。
【００４７】
冷気は、矢印１０３に示すように、冷風ダクト５１を通って、放出口６１から放出される。冷気は、後部座席１４に座っている乗員に向けて放出される。冷気は、放出口６１から上方向に向かって放出される。
【００４８】
図１、図３および図４を参照して、本実施の形態においては、矢印１０４に示すように、冷風ダクト５１に形成された開口部５１ａから、冷気の一部がコンソールボックス２１の内部に放出される。本実施の形態においては、冷風ダクト５１に開口部５１ａが形成されているため、温度の低い空気がコンソールボックス２１の内部に放出される。
【００４９】
一方で、電池パック１に接続されている冷却ファン７５が駆動することにより、矢印１０７に示すように、吸気口８１から空気が導入される。空気は、吸気ダクト７１を通って、ケース４の内部に配置されている蓄電池２を冷却する。また、本実施の形態においては、取込まれた空気により、ケース４の内部に配置されているインバータ３が冷却される。蓄電池２およびインバータ３を冷却した空気は、矢印１０８に示すように、冷却ファン７５および排気ダクト７２，７３を通って車外に放出される。
【００５０】
矢印１０４に示すように冷風ダクト５１の開口部５１ａからコンソールボックス２１の内部に放出された冷気は、たとえば、コンソールボックス２１が載置されているフロアカーペットとフロア部材１５との間から拡散しながらコンソールボックス２１の外部に放出される。このため、コンソールボックス２１の内部には、空気は滞留しない。
【００５１】
本実施の形態における自動車は、コンソールボックス２１の内部に、冷却ダクトを通る冷気が放出されるために、コンソールボックス２１の内部の温度が上昇することを抑制することができる。電池パック１の周りの空気の温度が上昇することを抑制することができる。または、吸気ダクト７１の周りの空気の温度が上昇することを抑制することができる。このため、電池パック１の冷却に悪影響を与えることを抑制することができて、電池パック１の冷却性能を高くすることができる。
【００５２】
本実施の形態における自動車は、コンソールボックス２１の真下に排気管９２が配置されている。エンジン９１が駆動することにより、排気管９２の温度が上昇する。フロア部材１５を介してコンソールボックス２１の内部の空気に排気管９２の熱が伝熱される。すなわち、フロア部材１５からの放射熱により、コンソールボックス２１の内部の空気の温度が上昇する。本実施の形態においては、コンソールボックス２１の内部の空気の温度が上昇することを抑制することができ、電池パック１の冷却性能を高くすることができる。
【００５３】
本実施の形態における電池パックを冷却する空気を送る冷却ファンは、蓄電池よりも下流側に配置されている。このため、電池パック１のケース４の内部は負圧になる。ケース４の隙間やケース４とダクトとの継ぎ目等から、コンソールボックス２１の内部の空気がケース４の内部に流入する。このため、コンソールボックス２１の内部の空気の温度が電池パックの冷却性能に大きく影響する。本実施の形態においては、コンソールボックス２１の内部の空気の温度が上昇することが抑制されているために、電池パックを高い性能で冷却することができる。
【００５４】
本実施の形態における冷風ダクト５１の開口部５１ａは、上面に形成されているが、この形態に限られず、たとえば、開口部５１ａが、冷風ダクト５１の下面に形成されていても構わない。開口部が電池パックと対向するように形成されている構成により、冷気を電池パックに直接的に吹付けることができ、電池パックを効果的に冷却することができる。
【００５５】
本実施の形態における冷風ダクト５１は、開口部５１ａを通してコンソールボックス２１の内部に冷気を放出するように形成されているが、この形態に限られず、冷風ダクト５１は、コンソールボックス２１の内部に冷気を放出するように形成されていればよい。また、本実施の形態においては、複数の開口部が形成されているが、この形態に限られず、１個の開口部が形成されてもよい。
【００５６】
本実施の形態における冷風ダクトは、コンソールボックスの内部を挿通しているが、この形態に限られず、冷風ダクトは、コンソールボックスの外部に配置されていても構わない。たとえば、冷風ダクトは、コンソールボックスの外面に接触するように形成され、コンソールボックスの壁面および冷風ダクトに貫通穴が形成されて、冷気の一部がコンソールボックスの内部に放出されていても構わない。
【００５７】
本実施の形態においては、第２列の座席に座る人に対して冷気を送る冷風ダクトを例に取り上げて説明したが、この形態に限られず、任意の列に座る人のための冷風ダクトであっても構わない。たとえば、冷風ダクトは、３列目の座席に座る人に対して冷気を送るように形成されていても構わない。
【００５８】
図５に、本実施の形態における他の自動車の概略断面図を示す。図５は、運転席および助手席の前側で切断したときの概略断面図である。他の自動車においては、蓄電パックとしての電池パック１がフロア部材１５に固定されている。コンソールボックス２２は、電池パック１の上側に配置されている。コンソールボックス２２は、電池パック１と接触している。本実施の形態におけるコンソールボックス２２は、電池パック１の上面に面接触している。冷風ダクト５１は、コンソールボックス２２の内部を挿通している。このように蓄電パックは、コンソールボックスの外側に配置されていても構わない。
【００５９】
本実施の形態においては、最前列の運転席および助手席の間にコンソールボックスおよび蓄電パックが配置されている自動車について説明を行なったが、この形態に限られず、任意の列の座席同士の間に、コンソールボックスおよび蓄電パックが配置されている自動車に本発明を適用することができる。
【００６０】
本実施の形態においては、ダクトのうち冷房用の冷風ダクトについて説明を行なったが、コンソールボックスの内部に空気を放出するダクトとしては、温かい空気を送る暖房用の温風ダクトであっても構わない。たとえば、温かい空気を２列目以降の座席に送るための温風ダクトは、空調ユニットから運転席または助手席の下側に向かって延びるように形成されている。温風ダクトは、後部座席に座る人の足元に向けて温気を送風する。たとえば、この温風ダクトに分岐ダクトを形成して、分岐ダクトがコンソールボックスに接続されていても構わない。または、温風ダクトおよび冷風ダクトの機能を有するダクトであっても構わない。
【００６１】
冬期において気温が低くなるために蓄電パックの温度が低くなる。たとえば、自動車を野外に駐車しておくと、蓄電パックの温度は低くなる。二次電池などの蓄電機器は、温度が低くなると電気出力が低下する。自動車の起動時において、温度の高い空気をコンソールボックスの内部に放出することにより、蓄電パックの温度を上げることができ、起動時の出力の低下を抑制することができる。
【００６２】
本実施の形態においては、ニ次電池を備えるハイブリッド車両を例に取り上げて説明したが、この形態に限られず、蓄電機器を備える自動車に本発明を適用することができる。たとえば、燃料電池および２次電池を駆動源とする燃料電池ハイブリッド車両（ＦＣＨＶ：Fuel Cell Hybrid Vehicle）や、電気自動車（ＥＶ：Electric Vehicle）にも本発明を適用することができる。
【００６３】
（実施の形態２）
図６から図８を参照して、実施の形態２における自動車について説明する。
【００６４】
図６に、本実施の形態における自動車の概略断面図を示す。図６は、車体の前後方向に沿って切断したときの概略断面図である。本実施の形態における自動車は、冷風ダクト５１を備える。本実施の形態における冷風ダクト５１は、分岐ダクト５７を含む。分岐ダクト５７は、主流ダクトから分岐するように形成されている。分岐ダクト５７は、コンソールボックス２１の内部に冷気を放出するように形成されている。
【００６５】
図７に、冷風ダクトのうち分岐ダクトが形成されている部分の拡大概略斜視図を示す。分岐ダクト５７は、主流ダクトの延びる方向に対してほぼ垂直な方向に延びるように形成されている。
【００６６】
図６および図７を参照して、空調ユニットから出される冷気は、矢印１０３に示すように、冷風ダクト５１を流れる。冷風ダクト５１の主流ダクトを流れる冷気の一部は、矢印１０４に示すように、分岐ダクト５７を通じて、コンソールボックス２１の内部に放出される。このように、本実施の形態においては、冷風ダクトが、主流ダクトおよび分岐ダクトを備え、分岐ダクトを通して電池パックの内部に冷気を放出するように形成されている。
【００６７】
コンソールボックス２１の内部に、冷気が放出されることにより、コンソールボックスの内部の空気が冷却される。または、コンソールボックスの内部に空気が滞留することを抑制することができる。この結果、電池パックの周りの空気の温度が上昇することを抑制でき、電池パックの冷却性能が向上する。
【００６８】
図８に、本実施の形態における他の自動車の冷風ダクトの拡大概略斜視図を示す。他の自動車は、冷風ダクト５２と冷風ダクト５３とを備える。冷風ダクト５３は、冷風ダクト５２と連結されている。冷風ダクト５２は、接続部５２ａを有する。接続部５２ａは、流路断面積が大きくなるように形成されている。冷風ダクト５２は、接続部５２ａの端部に開口部５２ｂを有する。冷風ダクト５３は、開口部５２ｂに挿入されている。
【００６９】
冷風ダクト５２の開口部５２ｂは、冷風ダクト５３の流路断面積よりも開口面積が大きくなるように形成されている。このため、開口部５２ｂから、冷気の一部が放出される。冷風ダクト５２を通る冷気は、矢印１０３に示すように、一部が冷風ダクト５３の内部を流れる。また、矢印１０４に示すように、冷気の一部が開口部５２ｂから放出される。このように、冷風ダクト同士の嵌合部に開口する部分が形成され、この嵌合部からコンソールボックスの内部に冷気が放出されるように形成されていても構わない。
【００７０】
その他の構成、作用および効果については、実施の形態１と同様であるのでここでは説明を繰返さない。
【００７１】
（実施の形態３）
図９から図１１を参照して、実施の形態３における自動車について説明する。
【００７２】
図９は、本実施の形態における自動車の車室の概略斜視図である。図１０は、本実施の形態における自動車の概略断面図である。図９および図１０を参照して、本実施の形態における自動車は、電池パック１を備える。本実施の形態における電池パック１は、吸気ダクトを介さずに、ケースの吸気口から空気を取り入れるように形成されている。
【００７３】
本実施の形態における電池パック１は、コンソールボックス２１の内部に配置されている。電池パック１は、ケース４を備える。ケース４は、吸気口４ａを有する。吸気口４ａは、ケース４に形成されている開口である。本実施の形態における電池パック１は、コンソールボックス２１の内部の空気を取込むことができるように形成されている。
【００７４】
コンソールボックス２１の内部には、矢印１０４に示すように、冷風ダクト５１の開口部５１ａから冷気が放出される。蓄電池２を冷却するための冷却ファン（図１参照）が駆動することにより、矢印１０７に示すように、電池パック１にはコンソールボックス２１の内部の空気が吸込まれる。コンソールボックス２１の内部には、冷風ダクト５１の冷気が放出されているために、温度の上昇が抑制されている。または、車室の温度よりも低温になっている。電池パック１は、コンソールボックス２１の内部の空気を吸気することができるため、効果的に冷却を行なうことができる。
【００７５】
本実施の形態における自動車は、電池パックに空気を送るための吸気ダクトを排除することができる。また、コンソールボックスに形成されていた吸気口が不要になる。電池パックを冷却するための冷却装置の構成を簡単にすることができる。また、コンソールボックスに形成されていた吸気口が不要になるため、吸気口からの塵や埃などの異物の侵入を抑制することができる。
【００７６】
図１１に、本実施の形態における他の自動車の概略断面図を示す。他の自動車における冷風ダクト５１は、分岐ダクト５８を含む。分岐ダクト５８は、主流ダクトから分岐するように形成されている。分岐ダクト５８は、電池パック１のケース４に接続されている。冷風ダクト５１の開口部５１ａからコンソールボックス２１の内部に空気が放出されている。
【００７７】
他の自動車においては、分岐ダクト５８が直接的に電池パック１に接続されるように形成されている。この構成により、冷風ダクト５１を流れる空気が直接的に電池パック１に送られる。この結果、電池パック１を効果的に冷却することができる。また、コンソールボックスの表面に吸気口を形成する必要がなく構成が簡易になる。
【００７８】
その他の構成、作用および効果については実施の形態１または２と同様であるのでここでは説明を繰返さない。
【００７９】
（実施の形態４）
図１２から図１４を参照して、実施の形態４における自動車について説明する。
【００８０】
図１２は、本実施の形態における自動車の車室の概略斜視図である。図１３は、本実施の形態における自動車の概略断面図である。図１２および図１３を参照して、本実施の形態における自動車は、コンソールボックス２２を備える。
【００８１】
本実施の形態における自動車は、コンソールボックス２２の内部に配置されている冷蔵庫２５を備える。本実施の形態における冷蔵庫２５は、コンソールボックス２２の上部に配置されている。冷蔵庫２５は、開閉扉２５ａを有する。開閉扉２５ａは、開閉可能に形成されている。
【００８２】
本実施の形態における自動車は、冷風ダクト５４を備える。本実施の形態における冷風ダクト５４は、冷蔵庫２５に冷気を送るためのダクトである。冷風ダクト５４は、空調ユニット４１から冷蔵庫２５に向けて延びるように形成されている。本実施の形態における冷風ダクト５４は、冷蔵庫２５に接続されている。本実施の形態における冷風ダクト５４は、開口部５４ａを有する。開口部５４ａは、コンソールボックスの内部に、冷気の一部を放出することができるように形成されている。
【００８３】
本実施の形態においては、矢印１０３に示すように、冷風ダクト５４を通って、冷蔵庫２５に冷気が供給される。冷蔵庫の内部に配置される被冷却物が冷却される。冷風ダクト５４において、矢印１０４に示すように、開口部５４ａからコンソールボックス２２の内部に冷気の一部が放出される。このため、電池パック１の周囲の空気の温度が上昇することを抑制することができ、電池パック１の冷却性能を高くすることができる。
【００８４】
図１４に、本実施の形態における他の自動車の概略断面図を示す。本実施の形態における他の自動車は、冷風ダクト５５を備える。冷風ダクト５５は、冷蔵庫２５に接続されている。冷風ダクト５５には、開口部は形成されていない。
【００８５】
他の自動車における冷蔵庫２５は、開口部２５ｂを有する。開口部２５ｂは、冷蔵庫２５の内部の冷気がコンソールボックス２２の内部に放出されるように形成されている。開口部２５ｂは、冷蔵庫の壁部に形成されている。他の自動車においては、矢印１０４に示すように、冷蔵庫２５の内部の空気をコンソールボックス２２の内部に放出することができる。
【００８６】
本実施の形態における自動車においては、冷風ダクトまたは冷蔵庫の一方に開口部が形成されているが、この形態に限られず、冷風ダクトおよび冷蔵庫のうち少なくとも一方が、冷気の一部をコンソールボックスの内部に放出するように形成されていればよい。
【００８７】
その他の構成、作用および効果については、実施の形態１から３のいずれかと同様であるのでここでは説明を繰返さない。
【００８８】
上述のそれぞれの図において、同一または相当する部分には、同一の符号を付している。また、上記のそれぞれの実施の形態を組み合わせても構わない。
【００８９】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００９０】
【図１】実施の形態１における車室の概略斜視図である。
【図２】実施の形態１における自動車の第１の概略断面図である。
【図３】実施の形態１における自動車の第２の概略断面図である。
【図４】実施の形態１における冷風ダクトの開口部の部分の拡大概略斜視図である。
【図５】実施の形態１における他の自動車の概略断面図である。
【図６】実施の形態２における自動車の概略断面図である。
【図７】実施の形態２における自動車の冷風ダクトの分岐ダクトの部分の拡大概略斜視図である。
【図８】実施の形態２における他の自動車の冷風ダクトの拡大概略斜視図である。
【図９】実施の形態３における自動車の車室の概略斜視図である。
【図１０】実施の形態３における自動車の概略断面図である。
【図１１】実施の形態３における他の自動車の概略断面図である。
【図１２】実施の形態４における自動車の車室の概略斜視図である。
【図１３】実施の形態４における自動車の概略断面図である。
【図１４】実施の形態４における他の自動車の概略断面図である。
【符号の説明】
【００９１】
１  電池パック、２  蓄電池、３  インバータ、４  ケース、４ａ  吸気口、１１  運転席、１２  助手席、１３  脚部、１４  後部座席、１５  フロア部材、１９  車室、２１，２２  コンソールボックス、２５  冷蔵庫、２５ａ  開閉扉、２５ｂ  開口部、３１  ダッシュボード、３２  ハンドル、４１  空調ユニット、４２  蒸発器、４３  送気ファン、４４  空気導入ダクト、４５  切替え弁、５１〜５５  冷風ダクト、５１ａ  開口部、５２ａ  接続部、５２ｂ  開口部、５４ａ  開口部、５７，５８  分岐ダクト、６１  放出口、７１  吸気ダクト、７２，７３  排気ダクト、７５  冷却ファン、８１  吸気口、９１  エンジン、９２  排気管、１０２〜１０８  矢印。
【図１】
2008254607.tif 000003
【図２】
2008254607.tif 000004
【図３】
2008254607.tif 000005
【図４】
2008254607.tif 000006
【図５】
2008254607.tif 000007
【図６】
2008254607.tif 000008
【図７】
2008254607.tif 000009
【図８】
2008254607.tif 000010
【図９】
2008254607.tif 000011
【図１０】
2008254607.tif 000012
【図１１】
2008254607.tif 000013
【図１２】
2008254607.tif 000014
【図１３】
2008254607.tif 000015
【図１４】
2008254607.tif 000016